【手続補正書】
【提出日】平成17年12月15日(2005.12.15)
【手続補正１】
【補正対象書類名】明細書
【補正対象項目名】特許請求の範囲
【補正方法】変更
【補正の内容】
【特許請求の範囲】
【請求項１】
一対の基板を有する表示装置を備え、
前記一対の基板の両側から視認可能な電子機器であって、
前記表示装置の外側に、回動可能に配置された光吸収部材を備える電子機器。
【請求項２】
前記光吸収部材は、前記表示装置の表示面を防護するための防護蓋または防護蓋に配置される部材であることを特徴とする請求項１に記載の電子機器。
【請求項３】
前記表示装置は、前記一対の基板間に液晶を挟持してなる液晶素子を備え、
前記一対の基板の両側に、光学フィルタを配置し、前記光学フィルタの外側に吸収型偏光板を配置して構成し、前記光学フィルタは、透過容易軸と平行な振動面は透過し、直交する振動面は反射するシートであり、
前記吸収型偏光板は、透過容易軸と平行な振動面は透過し、直交する振動面は吸収するシートであり、
前記光学フィルタの透過容易軸と前記吸収型偏光板の透過容易軸はほぼ一致していることを特徴とする請求項１に記載の電子機器。
【請求項４】
前記一対の基板のうち、一方の基板と前記光学フィルタの間、または他方の基板と前記光学フィルタの間のすくなくとも一方に光散乱部材を備えることを特徴とする請求項３に記載の電子機器。
【請求項５】
前記光学フィルタは、透過容易軸と平行な振動面は透過し、直交する振動面は吸収する反射型偏光板であることを特徴とする請求項３に記載の電子機器。
【請求項６】
前記光学フィルタは、入射光の一方の円偏光成分を反射し、他方の円偏光成分は透過する円偏光分離シートを１／４波長板で挟持することを特徴とする請求項３に記載の電子機器。
【請求項７】
前記液晶素子は、前記一対の基板間に１８０゜〜２７０゜ツイスト配向しているネマチック液晶を狭持してなるＳＴＮ液晶素子であり、前記一対の基板のうち、すくなくとも一方の基板上に位相補償板を配置することを特徴とする請求項１に記載の電子機器。
【請求項８】
前記液晶素子は、前記一対の基板間に約９０°ツイスト配向しているネマチック液晶を狭持してなるＴＮ液晶素子であることを特徴とする請求項１に記載の電子機器。
【請求項９】
前記表示装置のすくなくとも一方の上面にペン入力を行うためのペンタブレットを配置することを特徴とする請求項１に記載の電子機器。
【請求項１０】
前記表示装置の開閉状態を検出するスイッチまたはセンサーを有し、前記スイッチまたは前記センサーの検出結果にしたがって、前記表示装置の表示状態を上下反転または左右反転のすくなくとも一方を行うことを特徴とする請求項１に記載の電子機器。
【請求項１１】
前記スイッチは、前記表示装置に所定の長さの突起部を配置し、前記表示装置と相対するように前記突起部を受ける突起受け部を配置し、前記突起受け部に押圧式スイッチを配置し、前記液晶表示装置の閉扉時に前記突起部が前記突起受け部の押圧式スイッチを押圧することを特徴とする請求項１０に記載の電子機器。
【請求項１２】
前記センサーは、赤外線センサー、または温度センサー、または傾斜センサーであることを特徴とする請求項１０に記載の電子機器。
【請求項１３】
前記光吸収部材は吸収型偏光板であり、該吸収型偏光板の透過容易軸と、
前記表示装置における前記吸収型偏光板の透過容易軸とを直交することを特徴とする請求項３に記載の電子機器。
【手続補正２】
【補正対象書類名】明細書
【補正対象項目名】００２７
【補正方法】変更
【補正の内容】
【００２７】
【課題を解決するための手段】
上記目的を達成するために、本発明の電子機器は一対の基板を有する表示装置を備え、一対の基板の両側から視認可能な電子機器であって、表示装置の外側に、回動可能に配置された光吸収部材を備えることを特徴とする。また、この光吸収部材は、表示装置の表示面を防護するための防護蓋または防護蓋に配置される部材であることを特徴とする。また、一対の基板の間に液晶を挟持してなる液晶素子の両側の基板に光学フィルタを配置し、前記光学フィルタの外側に吸収型偏光板を配置して構成し、前記光学フィルタは、透過容易軸と平行な振動面は透過し、直交する振動面は反射するシートであり、前記吸収型偏光板は、透過容易軸と平行な振動面は透過し、直交する振動面は吸収するシートであり、前記光学フィルタの透過容易軸と前記吸収型偏光板の透過容易軸はほぼ一致していることを特徴とする。
【手続補正３】
【補正対象書類名】明細書
【補正対象項目名】００２８
【補正方法】変更
【補正の内容】
【００２８】
また、本発明の電子機器は、液晶表示装置を備え、前記液晶表示装置は前記一対の基板の間に液晶を挟持してなる液晶素子の両側の基板に光学フィルタを配置し、前記光学フィルタの外側に吸収型偏光板を配置して構成し、前記光学フィルタは、透過容易軸と平行な振動面は透過し、直交する振動面は反射するシートであり、前記吸収型偏光板は、透過容易軸と平行な振動面は透過し、直交する振動面は吸収するシートであり、前記光学フィルタの透過容易軸と前記吸収型偏光板の透過容易軸とはほぼ一致し、前記液晶表示装置はキーボードを覆うようにキーボードと可動に接続配置することを特徴とする。
【手続補正４】
【補正対象書類名】明細書
【補正対象項目名】００２９
【補正方法】変更
【補正の内容】
【００２９】
また、本発明の電子機器は、前記液晶表示装置において、一方の前記基板と前記光学フィルタの間、または他方の前記基板と前記光学フィルタの間のすくなくとも一方に光散乱部材を備えることを特徴とする。
【手続補正５】
【補正対象書類名】明細書
【補正対象項目名】００３０
【補正方法】変更
【補正の内容】
【００３０】
また、本発明の電子機器は、前記光学フィルタは、透過容易軸と平行な振動面は透過し、直交する振動面は吸収する反射型偏光板であることを特徴とする。
【手続補正６】
【補正対象書類名】明細書
【補正対象項目名】００３１
【補正方法】変更
【補正の内容】
【００３１】
また、本発明の電子機器は、前記光学フィルタは、入射光の一方の円偏光成分を反射し、他方の円偏光成分は透過する円偏光分離シートを１／４波長板で挟持することを特徴とする。
【手続補正７】
【補正対象書類名】明細書
【補正対象項目名】００３２
【補正方法】変更
【補正の内容】
【００３２】
また、本発明の電子機器は、前記液晶素子は、一対の基板間に１８０゜〜２７０゜ツイスト配向しているネマチック液晶を狭持してなるＳＴＮ液晶素子であり、すくなくとも一方のその基板上に位相補償板を配置することを特徴とする。
【手続補正８】
【補正対象書類名】明細書
【補正対象項目名】００３３
【補正方法】変更
【補正の内容】
【００３３】
また、本発明の電子機器は、前記液晶素子は、一対の基板間に約９０°ツイスト配向しているネマチック液晶を狭持してなるＴＮ液晶素子であることを特徴とする。
【手続補正９】
【補正対象書類名】明細書
【補正対象項目名】００３４
【補正方法】変更
【補正の内容】
【００３４】
また、本発明の電子機器は、前記液晶表示装置のすくなくとも一方の上面にペン入力を行うためのペンタブレットを配置することを特徴とする。
【手続補正１０】
【補正対象書類名】明細書
【補正対象項目名】００３５
【補正方法】変更
【補正の内容】
【００３５】
また、本発明の電子機器は、前記液晶表示装置の開閉状態を検出するためのスイッチまたはセンサーを有し、そのスイッチまたはそのセンサーの検出結果にしたがって、前記液晶表示装置の表示状態を上下反転または左右反転のすくなくとも一方を反転することを特徴とする。
【手続補正１１】
【補正対象書類名】明細書
【補正対象項目名】００３６
【補正方法】変更
【補正の内容】
【００３６】
また、本発明の電子機器は、前記スイッチは、前記液晶表示装置に所定の長さの突起部を配置し、前記液晶表示装置と相対するように前記突起部を受ける突起受け部を配置し、前記突起受け部に押圧式スイッチを配置し、前記液晶表示装置の閉扉時に前記突起部が前記突起受け部の押圧式スイッチを押圧することを特徴とする。
【手続補正１２】
【補正対象書類名】明細書
【補正対象項目名】００３７
【補正方法】変更
【補正の内容】
【００３７】
また、本発明の電子機器は、前記センサーは、赤外線センサ、または温度センサ、または傾斜センサであることを特徴とする。
【手続補正１３】
【補正対象書類名】明細書
【補正対象項目名】００３８
【補正方法】変更
【補正の内容】
【００３８】
また、本発明の電子機器は、前記液晶表示装置を防護するために防護蓋を有し、前記防護蓋は前記液晶表示装置の外側に液晶表示装置の表示部を覆うように回動可能に配置することを特徴とする。
【手続補正１４】
【補正対象書類名】明細書
【補正対象項目名】００３９
【補正方法】変更
【補正の内容】
【００３９】
また、本発明の電子機器は、前記防護蓋は、光吸収部材で構成するか、前記液晶表示装置と近接する側に光吸収部材を配置することを特徴とする。
【手続補正１５】
【補正対象書類名】明細書
【補正対象項目名】００４０
【補正方法】変更
【補正の内容】
【００４０】
また、本発明の電子機器は、前記防護蓋は、前記液晶表示装置と近接する側に吸収型偏光板を配置し、その吸収型偏光板の透過容易軸と、前記液晶表示装置の前記光吸収部材側に配置する吸収型偏光板の透過容易軸とを直交することを特徴とする。
【手続補正１６】
【補正対象書類名】明細書
【補正対象項目名】００４１
【補正方法】変更
【補正の内容】
【００４１】
（作用）本発明の電子機器においては、一方の方向から順に吸収型偏光板と、光学フィルタと、液晶素子と、光学フィルタと、吸収型偏光板で構成される。前記光学フィルタは、透過容易軸と平行な振動面は透過し、直交する振動面は反射するシートであり、前記吸収型偏光板は、透過容易軸と平行な振動面は透過し、直交する振動面は吸収するシートである。また、前記光学フィルタの透過容易軸と前記吸収型偏光板の透過容易軸はほぼ一致している。
【手続補正１７】
【補正対象書類名】明細書
【補正対象項目名】００４７
【補正方法】変更
【補正の内容】
【００４７】
本発明の電子機器においては、一方の方向から順に吸収型偏光板と、光学フィルタと、液晶素子と、光学フィルタと、吸収型偏光板で構成される液晶表示装置をキーボードを覆うように可動に接続配置する構造である。前記光学フィルタは、透過容易軸と平行な振動面は透過し、直交する振動面は反射するシートであり、前記吸収型偏光板は、透過容易軸と平行な振動面は透過し、直交する振動面は吸収するシートである。また、前記光学フィルタの透過容易軸と前記吸収型偏光板の透過容易軸はほぼ一致している。
【手続補正１８】
【補正対象書類名】明細書
【補正対象項目名】００５６
【補正方法】変更
【補正の内容】
【００５６】
本発明の電子機器は、一方の前記基板と前記光学フィルタの間、または他方の前記基板と前記光学フィルタの間のすくなくとも一方に光散乱部材を備える。これにより、入射光は視認側と反対側の光学フィルタで反射されて視認側に戻る間にすくなくとも一度光散乱部材を通過する。光散乱部材を通過すると反射光は適度に散乱し、視認側では散乱した白色を示す。光学フィルタの散乱度が小さく鏡面に近い特性を有する場合には、この光散乱部材の挿入がとくに効果的である。
【手続補正１９】
【補正対象書類名】明細書
【補正対象項目名】００５７
【補正方法】変更
【補正の内容】
【００５７】
本発明の電子機器は、前記光学フィルタに、透過容易軸と平行な振動面は透過し、直交する振動面は吸収する反射型偏光板をもちいる。反射型偏光板は、入射光の互いに直交する２つの振動面の一方を透過し、他方を反射する特性を示す。これを光学フィルタに用いれば、入射光の直線偏光成分を液晶素子のオンオフで反射と透過を制御できる。しかも、
反射型偏光板は両面において透過反射特性があるので、両面の表示が可能となる。
【手続補正２０】
【補正対象書類名】明細書
【補正対象項目名】００５８
【補正方法】変更
【補正の内容】
【００５８】
本発明の電子機器は、前記光学フィルタに、入射光の一方の円偏光成分を反射し、他方の円偏光成分は透過する円偏光分離シートを１／４波長板で挟持するシートを用いる。これによって、円偏光分離シートは右円偏光成分と左円偏光成分の一方を反射し、他方を透過する特性を示すが、１／４波長板が両側に配置されているので、光学フィルタに入射する直線偏光成分は円偏光に変換され、円偏光分離シートで反射または透過し、さらに１／４波長板で直線偏光成分に変換される。つまり、円偏光分離シートを１／４波長板で挟持すれば、一方の振動面を透過し、直交する振動面を反射する光学フィルタを構成できる。
【手続補正２１】
【補正対象書類名】明細書
【補正対象項目名】００５９
【補正方法】変更
【補正の内容】
【００５９】
本発明の電子機器は、一対の基板間に１８０゜〜２７０゜ツイスト配向しているネマチック液晶を狭持してなるＳＴＮ液晶素子を有し、すくなくとも一方のその基板上に位相補償板を配置する液晶表示装置を備える。これにより、ＳＴＮの光学特性の急峻性を生かし、高コントラストな両面表示が得られる。また、マトリクス表示においては１００分割以上の高分割表示が可能となり、電子機器において、さらに情報量の多い表示が可能となる。
【手続補正２２】
【補正対象書類名】明細書
【補正対象項目名】００６０
【補正方法】変更
【補正の内容】
【００６０】
本発明の電子機器では、一対の基板間に約９０°ツイスト配向しているネマチック液晶を狭持してなるＴＮ液晶素子を有する液晶表示装置を備えている。これにより分割数の少ない低マトリクス数の電子機器において、低コストの電子機器を提供できる。
【手続補正２３】
【補正対象書類名】明細書
【補正対象項目名】００６１
【補正方法】変更
【補正の内容】
【００６１】
本発明の電子機器は、液晶表示装置のすくなくとも一方の上面にペン入力を行うためのペンタブレットを配置する。これにより、液晶表示装置を閉じた状態で、キーボードを使用しない場合にもペンタブレットにより入力操作が可能となる。また、操作スイッチを別途設置する必要がなくなるので液晶表示装置の表示領域を広く取ることができる。また、液晶表示装置の表面にもペンタブレットを配置すれば、キーボードの使用時においてもペンタブレットを補助入力装置として利用することができ、入力機能の優れた電子機器を提供できる。
【手続補正２４】
【補正対象書類名】明細書
【補正対象項目名】００６２
【補正方法】変更
【補正の内容】
【００６２】
本発明の電子機器は、液晶表示装置の開閉状態を検出するためのスイッチまたはセンサーを有し、そのスイッチまたはそのセンサーの検出結果にしたがって、前記液晶表示装置の表示状態を上下反転または左右反転のすくなくとも一方を反転する。これにより内側と裏側の両方において正像を表示することができる。
【手続補正２５】
【補正対象書類名】明細書
【補正対象項目名】００６３
【補正方法】変更
【補正の内容】
【００６３】
本発明の電子機器は、前記液晶表示装置に所定の長さの突起部を配置し、前記液晶表示装置と相対するように前記突起部を受ける突起受け部を配置し、前記突起受け部に押圧式スイッチを配置し、前記液晶表示装置の閉扉時に前記突起部が前記突起受け部の押圧式スイッチを押圧する。これにより液晶表示装置の開閉を判別することができ、表示の上下反転または左右反転を的確に行うことができる。
【手続補正２６】
【補正対象書類名】明細書
【補正対象項目名】００６４
【補正方法】変更
【補正の内容】
【００６４】
本発明の電子機器は、前記センサーに、赤外線センサ、または温度センサ、または傾斜センサを用いる。これにより、液晶表示装置の開閉を判別することができ、表示の上下反転または左右反転を的確に行うことができる。
【手続補正２７】
【補正対象書類名】明細書
【補正対象項目名】００６５
【補正方法】変更
【補正の内容】
【００６５】
本発明の電子機器は、前記液晶表示装置を防護するために防護蓋を有し、前記防護蓋は前記液晶表示装置の外側に液晶表示装置の表示部を覆うように回動可能に配置する。これにより前記液晶表示装置を持ち運び時の損傷から回避するとともに、液晶表示装置の内側からの視認時に防護蓋が遮光するので背景の反射を軽減することができ、視認性を向上することができる。
【手続補正２８】
【補正対象書類名】明細書
【補正対象項目名】００６６
【補正方法】変更
【補正の内容】
【００６６】
本発明の電子機器は、前記防護蓋は、光吸収部材で構成するか、前記液晶表示装置と近接する側に光吸収部材を配置する。これにより、液晶表示装置の内側からの入射光は外側の防護蓋に配置される光吸収部材にほとんどが吸収され、黒が沈んだコントラストのよい表示が得られる。
【手続補正２９】
【補正対象書類名】明細書
【補正対象項目名】００６７
【補正方法】変更
【補正の内容】
【００６７】
本発明の電子機器は、前記防護蓋は、前記液晶表示装置と近接する側に吸収型偏光板を配置し、その吸収型偏光板の透過容易軸と、前記液晶表示装置の前記光吸収部材側に配置する吸収型偏光板の透過容易軸とを直交する。これにより、液晶表示装置の内側からの入射光のうちの外側に透過する直線偏光成分は防護蓋に配置される吸収型偏光板にほとんどが吸収され、黒が沈んだコントラストのよい表示が得られる。